(57)【要約】      （修正有）【課題】スイッチを入れ、録音再生装置に電源を供給をするだけで、入力された音声を録音し、自動的におうむ返しに再生と連動して、脚部を片方ずつ交互に上げ下げする録音再生駆動玩具を提供する。【解決手段】玩具本体と玩具本体に設けられた集音マイク４と、集音マイクにより集められた音声を録音再生させるための電子回路による録音再生装置３と、録音再生装置により録音された音声を出力する音声出力部５と、録音再生装置を介するモーター６によって駆動される駆動シャフト１２ａ，１２ｂと一体的に形成されたギヤ列とクランク部８を介して脚部を片方ずつ交互に上げ下げする二足歩行動物や四足歩行動物の脚部類似の動作を行う駆動部と駆動部に電源を供給する電源部及び電源スイッチを備える。【選択図】図２
0003185533.tif 000002
【実用新案登録請求の範囲】
【請求項１】
下記の要件を備えたことを特徴とする録音再生駆動玩具。
（１）玩具本体と（２）当該玩具本体に設けられた音声を集める集音マイクと、（３）前記玩具本体に設けられた前記集音マイクにより集められた音声を録音再生させるための電子回路による録音再生装置と、（４）前記玩具本体に設けられた前記録音再生装置により録音された音声を出力する音声出力部と、（５）前記玩具本体に設けられた前記録音再生装置を介するモーターによって駆動される駆動シャフトと一体的に形成されたギヤ列とクランク部を介して片方ずつ交互に上げ下げする二足歩行動物や四足歩行動物の脚部類似の動作を行う駆動部と（６）前記玩具本体に設けられた前記駆動部に電源を供給する電源部及び電源スイッチを備える録音再生駆動玩具。
【請求項２】
電源スイッチをオンにすることで前記集音マイクから入力された音声のうち、当該音声が途切れるまでもしくは一定時間の音声を録音し、録音された音声をおうむ返しに前記音声出力部を介して自動的に再生し、再生と同時に前記録音再生装置を介して接続されている前記駆動部が連動し、作動する請求項１記載の録音再生駆動玩具。
【考案の詳細な説明】
【技術分野】
【０００１】    本考案は、録音再生装置、音声出力部及び駆動部を内蔵するぬいぐるみ玩具に係り、入力された音声を録音し、おうむ返しに再生すると同時に録音再生装置と接続され連動する駆動部が作動する録音再生駆動玩具に関する。
【背景技術】
【０００２】    従来から、音声発生装置及び駆動部を内蔵する玩具は存在する。下記の特許文献１には、録音した音声データを複数に断片化し、あらかじめ録音された複数の固定音声データと組み合わせて再生し、音声再生時に玩具本体を動作させる駆動手段を備える玩具が公開されている。また、音声を録音し、おうむ返しに再生する玩具も存在する。下記の非特許文献１には、電源スイッチ、録音スイッチ、再生スイッチを有し、おうむ返しに録音再生する玩具が開示されている。
【先行技術文献】
【特許文献】
【０００３】
【特許文献１】  特開２００１−２４２８９２
【特許文献２】  実公平６−１７４９０
【考案の概要】
【考案が解決しようとする課題】
【０００４】    上記玩具は、録音再生装置を有し録音した音声をおうむ返しに再生するものの、電源スイッチ、録音スイッチ、再生スイッチを有し、駆動部を有さないものや録音された音声をそのまま再生するのではなく、録音された音声と予め入力された音声とを組み合わせて再生される玩具であり、駆動については駆動手段を有するのみとされ駆動方法については明確ではない。【０００５】    本考案が解決しようとする問題点は、電源スイッチを入れ、電源部に電源を供給することのみで入力された音声を録音し、自動的におうむ返しに再生し、音声の再生と連動して片方ずつ交互に上げ下げする二足歩行動物や四足歩行動物の脚部類似の動作を行う駆動部を備えた録音再生駆動玩具を提供するものである。
【課題を解決するための手段】
【０００６】    本考案の録音再生駆動玩具は、下記の要件を備えるものである。（イ）玩具本体と前記玩具本体に設けられた電力を供給する電源部及び電源スイッチと（ロ）録音した音声を自動で再生する電子回路による録音再生装置を介して接続されている音声出力部と、（ハ）前記録音再生装置を介して接続する駆動部とを備えていることである。【０００７】    本考案は、玩具使用者が電源スイッチを入れることで、音声を集める集音マイクより音声が入力されることで当該音声を電気的信号に変え、電子回路による前記録音再生装置に音声が録音され、何らの操作をすることなく前記録音再生装置を介して前記音声出力部から再生することを特徴とする。【０００８】    本考案は、前記集音マイクより入力された音声のうち当該音声が途切れるまで、もしくは一定時間の部分を前記録音再生装置により録音し、再生することを特徴とする。【０００９】    本考案は、前記録音再生装置に録音された音声の再生と同時に前記録音再生装置を介して接続されているモーターによって駆動される駆動シャフトと一体的に形成されたギア列とクランク部を介して片方ずつ交互に上げ下げして前進する脚部類似の駆動部を備えることを特徴とする。【００１０】    本考案は前記駆動部を有するため、例えば二足歩行の猿のような動物だけでなく犬や猫などの四足歩行動物などが録音された音声を話しながら前進する動作を実現させることができる。
【考案の効果】
【００１１】    以上説明したように、本考案の録音再生装置及び駆動部を内蔵する録音再生駆動玩具によると、電源スイッチを入れ、前記玩具に向けて音声を発するだけで、発した音声をおうむ返しに再生することから、幼児であっても容易に遊ぶことができる。また、操作をするための部分が電源スイッチのみであることから玩具の外観を損なうことがない。さらに、音声の再生と連動して駆動することで玩具の視覚性及び聴覚性が富むことになり、より愛玩性が加味された玩具を提供することができる。
【図面の簡単な説明】
【００１２】
【図１】  本考案に係る録音再生装置及び駆動部を内蔵するぬいぐるみ玩具を表示する斜視図
【図２】  本考案に係る録音再生装置及び駆動部を内蔵するぬいぐるみ玩具を表示する内部斜視図
【図３】  本考案に係る録音再生装置及び駆動を行う回路図
【考案を実施するための形態】
【００１３】    本考案は、玩具使用者により音声が集音マイクより入力されると、入力された音声が録音再生装置により録音され、音声出力部よりおうむ返しに再生され、同時に録音再生装置を介して接続されているモーターを含む駆動部が作動し、歩行する様子を表現する動作を行う玩具である。
【実施例】
【００１４】    以下、本考案の一実施例を詳細に説明する。図１は本考案の一実施例を示し、本願考案の録音再生装置３及び駆動部を内蔵する動物に模したぬいぐるみ本体Ａの外観斜視図を示す。ぬいぐるみ本体Ａの背面部の内側には、電池２（図３において図示）を配置し、録音再生装置３へと電源部からの電気的供給を行う。かかるぬいぐるみ本体Ａの口部には、集音マイク５を配置し、集音マイク５から音声を入力することで、音声を電気的信号に変え、配線用電線９ａを通して録音再生装置３に伝達される。そして、当該音声が録音再生装置３に伝達されることで、録音再生装置３から配線用電線９ｂ及び配線用電線９ｃを通してそれぞれモーター６及び音声出力部５に電気的信号が伝達される。モーター６に電気的信号が伝達されることにより、後述する駆動系統を伝い、クランク部８を介して脚部１６が片方ずつ交互に上げ下げして二足歩行しながら前進することができる。また、同時に音声出力部５にも電気的信号が伝達されているため、当該入力した音声を再生しながら歩行することができる。本実施例においては、２足歩行の動物の脚部の動きを模しているが、本ぬいぐるみ玩具においては、４足歩行の動物の脚部の動きについても同様に適用がある。【００１５】    図２は本願考案の一実施例である図１の内部構造を示した斜視図である。電池部１５の内部に電池２（図３において図示）を内蔵し、背面カバー１４にある電源スイッチ１（図３において図示）をオンにすることで配線用電線９ｄを通して録音再生装置３に電気的供給が行われる。そして、集音マイク４に音声を入力することで配線用電線９ａを伝い、録音再生装置３に電気的信号に変化した音声が伝達される。録音再生装置３に音声が電気的信号として伝わることで、さらに配線用電線９ｂを通してモーター６に電気的供給が行われる。これにより、モーター６が回転することでモーター先端部に取り付けられたタイミングプーリ１０ａも回転し、タイミングプーリ１０ａの回転をタイミングベルト１１を介してタイミングプーリ１０ｂへと伝え、タイミングプーリ１０ｂの中央部に接続されている駆動シャフト１２ａ及び駆動シャフトの中央部に取り付けられたギア列（図３において図示）が回転することで駆動シャフト１２ｂに接続されたクランク部材８を介した脚部が片方ずつ交互に上げ下げして二足歩行をしながら前進する。また、前記のとおり録音再生装置３に音声が電気的信号により伝わることで当該電気的信号が、配線用電線９ｃを伝い音声出力部５より前面カバー１３に空いた穴により音声が、より大きな音で再生される。そして、脚部の動作及び音声の再生は、いずれも、集音マイク４より録音再生装置に音声が電気的信号として伝わることで、脚部を作動させるためのモーター６及び音声再生のための音声出力部５にも電気的信号を供給するため、音声再生と同時に脚部が作動する。【００１６】    図３は本考案の録音再生装置３及びこれに連動する駆動部及び音声出力部５の回路図を表示するものである。かかる回路は、電源スイッチ１をオンにすることによって、電池より電気的供給が録音再生装置３に行われる。録音再生装置３に電気的供給が行われる結果、集音マイクより入力された音声が録音再生装置３に電気的信号として送られる。その結果、録音再生装置３より同時に音声出力部５及びモーターへと別個に分かれて電気的信号が送られることで、音声再生及び脚部の駆動が行われる。【００１７】    かかる構成によって、本考案は、ぬいぐるみ玩具の背面カバー１４に設置している電源スイッチ１をオンにすることのみで、動物を模したぬいぐるみ玩具に話かけることにより、話しかけた言葉と同じ言葉をおうむ返しに再生し、なおかつ歩行することで、あたかも、当該ぬいぐるみ玩具が使用者の真似をしながら前進してくるように感じることができ、使用者の興味を一層増幅し、またぬいぐるみ玩具の愛玩性も加味されたものとなる。
【符号の説明】
【００１８】Ａ      ぬいぐるみ本体
１      電源スイッチ
２      電池
３      録音再生装置
４      集音マイク
５      音声出力部
６      モーター
７      ギア列
８      クランク部
９ａ    前記３と４を結ぶ配線用電線
９ｂ    前記３と６を結ぶ配線用電線
９ｃ    前記３と５を結ぶ配線用電線
９ｄ    前記２と３を結ぶ配線用電線
１０ａ  前記６に接続するタイミングプーリ
１０ｂ  前記１０ａと対となるタイミングプーリ
１１    タイミングベルト
１２ａ  駆動シャフト
１２ｂ  駆動シャフト
１３    前面カバー
１４    背面カバー
１５    電池部
１６    脚部
【図１】
0003185533.tif 000003
【図２】
0003185533.tif 000004
【図３】
0003185533.tif 000005